(57)【要約】    【課題】高速で印刷を実行する場合でも大きな衝突音が発生する場合を低減できる孔版印刷機を、提供すること。    【解決手段】給紙方向の用紙サイズが入力されるサイズ入力部８１と、用紙を給紙するための給紙ローラ４１を駆動する給紙駆動部４９と、入力された用紙サイズに対応して、給紙駆動部４９を制御して、給紙ローラ４１の少なくとも給紙速度を設定する、給紙制御部８２と、を備えている。【選択図】図２
2019150968.tif 000002
【特許請求の範囲】
【請求項１】
給紙方向の用紙サイズが入力されるサイズ入力部と、
用紙を給紙するための給紙ローラを駆動する給紙駆動部と、
入力された用紙サイズに対応して、前記給紙駆動部を制御して、前記給紙ローラの少なくとも給紙速度を設定する、給紙制御部と、
を備えていることを特徴とする孔版印刷機。
【請求項２】
前記給紙制御部は、前記給紙ローラの給紙タイミングも設定するようになっている、
請求項１記載の孔版印刷機。
【請求項３】
前記給紙制御部は、入力された用紙サイズが予め設定された所定の用紙サイズより小さい場合に、給紙速度を、前記所定の用紙サイズの場合に採用される給紙速度よりも、遅くなるように設定する、
請求項１又は２に記載の孔版印刷機。
【請求項４】
前記給紙制御部は、入力された用紙サイズが予め設定された所定の用紙サイズより小さい場合に、給紙速度を、前記所定の用紙サイズの場合に採用される給紙速度よりも、遅くなるように、及び、給紙タイミングを、前記所定の用紙サイズの場合に採用される給紙タイミングよりも、早くなるように、設定する、
請求項２記載の孔版印刷機。
【請求項５】
印刷速度が予め設定された速度以上の場合のみに、前記給紙制御部を作動させる、作動制御部を、更に備えている、
請求項１〜４のいずれか一つに記載の孔版印刷機。
【発明の詳細な説明】
【技術分野】
【０００１】
本発明は、印刷作業中に大きな衝突音が発生する場合を低減できる孔版印刷機に関する。
【背景技術】
【０００２】
孔版印刷機において、用紙は、給紙ローラによって送り出されて、レジストローラに衝突し、レジストローラによって、印刷ドラムの回転と同期タイミングで印刷部へ送り込まれる。一方、孔版印刷機においては、近年、印刷速度の高速化が図られている。
【先行技術文献】
【特許文献】
【０００３】
【特許文献１】特開２０１５−３４９４号公報
【発明の概要】
【発明が解決しようとする課題】
【０００４】
ところで、印刷速度の高速化は、印刷ドラムの回転速度の高速化によって実現され、給紙速度の高速化を伴う。給紙速度の高速化は、給紙ローラが高速で回転することを意味する。そして、従来の孔版印刷機においては、高速で印刷を実行する場合において、用紙が、用紙サイズに関係なく、給紙ローラによって高速で送り出されて、高速のまま、レジストローラに衝突していた。その結果、常に、大きな衝突音が発生していた。
【０００５】
本発明は、高速で印刷を実行する場合でも大きな衝突音が発生する場合を低減できる孔版印刷機を、提供することを目的としている。
【課題を解決するための手段】
【０００６】
本発明の孔版印刷機は、
給紙方向の用紙サイズが入力されるサイズ入力部と、
用紙を給紙するための給紙ローラを駆動する給紙駆動部と、
入力された用紙サイズに対応して、前記給紙駆動部を制御して、前記給紙ローラの少なくとも給紙速度を設定する、給紙制御部と、
を備えていることを特徴としている。
【発明の効果】
【０００７】
本発明によれば、用紙サイズに対応して給紙ローラの少なくとも給紙速度を設定するので、用紙サイズが小さい場合には、用紙サイズが大きい場合に比して、給紙速度を遅くでき、それによって、衝突音を小さくできる。したがって、衝突音が小さい場合を実現でき、すなわち、印刷作業中に大きな衝突音が発生する場合を低減できる。
【図面の簡単な説明】
【０００８】
【図１】本発明の第１実施形態の孔版印刷機を示す縦断面略図である。
【図２】孔版印刷機の装置本体の内部構造のブロック図である。
【図３】本発明の別の実施形態の両面孔版印刷機を示す縦断面略図である。
【発明を実施するための形態】
【０００９】
＜第１実施形態＞
［全体構成］
【００１０】
図１は、本発明の一実施形態の孔版印刷機を示す縦断面略図である。この孔版印刷機１は、製版部２、印刷部３、給紙部４、排紙部５、及び排版部６を、有する、装置本体１０を、有している。装置本体１０の外側には、紙受け部７が設けられている。この孔版印刷機１においては、孔版原紙１００が、ロール１１から供給され、製版部２においてサーマルヘッド２１により加熱穿孔されることによって製版され、印刷部３へ給版される。給版されてきた孔版原紙すなわち製版原紙１１０は、印刷ドラム３１に巻装される。一方、用紙２００が、給紙部４によって印刷部３へ給紙される。給紙部４では、給紙ローラ４１と捌き部材４２とによって、給紙トレイ４０上の用紙２００が１枚ずつレジストローラ４３へ搬送される。レジストローラ４３は、印刷ドラム３１の回転と同期タイミングで作動して、用紙２００を印刷部３へ送り込む。そして、印刷部３では、押圧手段であるプレスローラ３２によって用紙２００が製版原紙１１０及び印刷ドラム３１の表面を介してローラ３３に押し付けられ、製版原紙１１０に基づいた印刷が行われる。印刷終了後、印刷された用紙２００は、排紙部５によって排出され、排出された用紙２００は、紙受け部７の載置台７１に積層されていく。一方、印刷に使用されて不要となった製版原紙すなわち排版原紙１１０は、排版部６によって印刷ドラム３１から剥ぎ取られて巻芯６３に巻き取られる。
【００１１】
［給紙部］
給紙部４は、給紙トレイ４０上の用紙２００を、給紙ローラ４１と捌き部材４２とによって、１枚ずつレジストローラ４３まで送り出す、「第１動作」と、レジストローラ４３を、印刷ドラム３１の回転と同期タイミングで作動させて、用紙２００を印刷部３へ送り込む、「第２動作」と、を実施するようになっている。給紙ローラ４１は、給紙駆動部４９（図２）によって駆動されるようになっている。
【００１２】
更に、給紙部４には、給紙ローラ４１とレジストローラ４３との間の搬送路４５に、用紙２００の通過を検知する用紙センサー４４が設けられている。用紙センサー４４は、用紙２００の先端２０１を検知するとオンし、後端２０２を検知するとオフするようになっている。
【００１３】
レジストローラ４３は、給紙駆動部４９に対して独立した駆動部によって回転駆動されるようになっている。また、レジストローラ４３の駆動部は、印刷ドラム３１の駆動部から所定の駆動伝達手段を介して同期駆動するように、構成されており、又は、印刷ドラム３１の駆動部に対して独立した駆動部によって同期駆動するように、構成されている。給紙速度及び給紙タイミングは、給紙駆動部４９をレジストローラ４３の駆動部及び印刷ドラム３１の駆動部に対して独立して構成することによって、レジストローラ４３の作動・非作動及び回転速度に拘わらず、及び印刷ドラム３１の回転速度に拘わらず、調整可能となっている。
【００１４】
なお、本実施形態では、給紙駆動部４９としてパルスモータを用いているので、安価なＤＣモータを用いる場合に比して、給紙ローラ４１の回転速度と、給紙ローラ４１による用紙２００の搬送距離とを、正確に制御できる。
【００１５】
［制御部］
図２は、装置本体１０の内部構造のブロック図である。装置本体１０は、各部２、３、４、５、６の作動を制御する制御部８を、有している。制御部８は、用紙２００の給紙方向の長さ（以下、「用紙サイズ」と称する）が入力されるサイズ入力部８１と、給紙駆動部４９を制御する給紙制御部８２と、を有している。また、制御部８は、印刷部３の印刷ドラム３１の回転速度すなわち印刷速度を設定する印刷速度設定部８３を、有している。本実施形態では、印刷速度設定部８３は、印刷速度を「第１速度」に設定している。ここでは、「第１速度」は「高速」である。
【００１６】
サイズ入力部８１は、搬送路４５を通過する用紙２００の搬送速度と、用紙センサー４４がオンしてオフするまでの検知時間と、に基づいて、用紙サイズを算出し、それが入力されるようになっている。なお、「用紙２００の搬送速度」とは、当該用紙２００を送り出した給紙ローラ４１の給紙速度（回転速度）である。
【００１７】
給紙制御部８２は、サイズ入力部８１に入力された用紙サイズに対応して、給紙駆動部４９を制御することによって、給紙ローラ４１の給紙速度及び給紙タイミングを設定するようになっている。「給紙タイミングを設定する」とは、印刷ドラム３１の所定の基準角度に対する回転角度が何度の時に給紙を開始するかを設定することを意味する。なお、基準角度は、印刷ドラム３１と共に回転する検出片（図示せず）をセンサー（図示せず）によって検知することにより、検出することができる。
【００１８】
具体的には、給紙制御部８２は、給紙駆動部４９に対して表１に示されるような制御を、実行するようになっている。すなわち、
・サイズ入力部８１に入力された用紙サイズが「Ａ３以上」の場合には、給紙駆動部４９を制御して、給紙ローラ４１の給紙速度を「速い（０）」に設定するとともに給紙タイミングを「遅い（０）」に設定する。
・サイズ入力部８１に入力された用紙サイズが「Ａ３未満」の場合には、給紙駆動部４９を制御して、給紙ローラ４１の給紙速度を「遅い（−１）」に設定するとともに給紙タイミングを「早い（１）」に設定する。
【００１９】
【表１】
2019150968.tif 000003
【００２０】
なお、「遅い（−１）」は「速い（０）」よりも給紙速度が１段階遅いことを意味しており、「早い（１）」は「遅い（０）」よりも給紙タイミングが１段階早いことを意味している。
【００２１】
また、表１に示されている給紙速度及び給紙タイミングは、指定されている用紙サイズの用紙２００を「高速」で印刷できる値である。ところで、用紙２００は、印刷ドラム３１の回転に同期してレジストローラ４３が回転する時に、すなわち、上述した印刷の第２動作時に、レジストローラ４３の位置に来ている必要がある。しかるに、給紙速度を遅くすると、第２動作時に用紙２００がレジストローラ４３の位置に来ていない恐れがある。そこで、給紙制御部８２は、給紙速度を遅くする場合には給紙タイミングを早くしている。
【００２２】
［作動］
スタートスイッチ（図示せず）が押されて孔版印刷機１の作動が開始すると、給紙トレイ４０上の最上に位置する１枚の用紙２００が、上述したように、給紙部４によって印刷部３へ給紙され、印刷された後、排紙部５によって排出される。このとき、サイズ入力部８１が作動して、当該用紙２００の用紙サイズが、算出されて、入力される。
【００２３】
そして、２枚目以降の用紙２００が給紙される際に、給紙制御部８２が上述した制御を実行する。すなわち、給紙制御部８２は、入力された用紙サイズが予め設定された所定の用紙サイズ（ここではＡ３以上）より小さい場合には、当該所定の用紙サイズの場合に比して、給紙速度を遅くするとともに給紙タイミングを早くする。
【００２４】
［効果］
一般に、印刷速度が「高速」であり且つ「Ａ３以上」の用紙２００が給紙される場合においては、給紙速度が速く、それ故に、レジストローラ４３への用紙２００の衝突音は、大きく、消音が望まれるレベルである。そして、「Ａ３未満」の用紙２００が、「Ａ３以上」の用紙２００の場合と同じ給紙速度で給紙されると、レジストローラ４３への用紙２００の衝突音は、「Ａ３以上」の場合と同様に、大きく、消音が望まれるレベルである。したがって、この場合は、用紙サイズに拘わらず、レジストローラ４３への用紙２００の衝突音が、常に、大きい。
【００２５】
しかしながら、本実施形態の孔版印刷機１においては、用紙サイズが「Ａ３未満」である場合には、給紙速度が遅くなるので、遅くなった分だけ、レジストローラ４３への用紙２００の衝突音が小さくなる。
【００２６】
すなわち、本実施形態の孔版印刷機１によれば、用紙サイズが大きい場合に大きな衝突音が発生するのは仕方ないが、用紙サイズが小さい場合には衝突音を小さくできる。すなわち、衝突音が小さい場合を実現できる。したがって、印刷作業中に大きな衝突音が発生する場合を低減できる。
【００２７】
＜第２実施形態＞
本実施形態では、給紙制御部８２が表２に示されるような制御を実行するようになっており、その他は第１実施形態と同じである。
【００２８】
【表２】
2019150968.tif 000004
【００２９】
表２の制御内容は、次のとおりである。
・サイズ入力部８１に入力された用紙サイズが「Ａ３」の場合には、給紙駆動部４９を制御して、給紙ローラ４１の給紙速度を「速い（０）」に設定するとともに給紙タイミングを「遅い（０）」に設定する。
・サイズ入力部８１に入力された用紙サイズが「Ｂ４」の場合には、給紙駆動部４９を制御して、給紙ローラ４１の給紙速度を「遅い（−１）」に設定するとともに給紙タイミングを「早い（１）」に設定する。
・サイズ入力部８１に入力された用紙サイズが「Ａ４」の場合には、給紙駆動部４９を制御して、給紙ローラ４１の給紙速度を「遅い（−２）」に設定するとともに給紙タイミングを「早い（２）」に設定する。
・サイズ入力部８１に入力された用紙サイズが「Ｂ５」の場合には、給紙駆動部４９を制御して、給紙ローラ４１の給紙速度を「遅い（−３）」に設定するとともに給紙タイミングを「早い（３）」に設定する。
【００３０】
なお、「遅い（−１）」、「遅い（−２）」、及び「遅い（−３）」は、この順で、「速い（０）」よりも、給紙速度が１段階ずつ遅いことを意味しており、「早い（１）」、「早い（２）」、及び「早い（３）」は、この順で、「遅い（０）」よりも、給紙タイミングが１段階ずつ早いことを意味している。
【００３１】
また、表２に示されている給紙速度及び給紙タイミングは、指定されている用紙サイズの用紙２００を「高速」で印刷できる値である。給紙制御部８２は、第１実施形態と同様に、給紙速度を遅くする場合には給紙タイミングを早くしている。
【００３２】
［作動］
第１実施形態と同様に、２枚目以降の用紙２００が給紙される際に、給紙制御部８２が上述した制御を実行する。すなわち、本実施形態では、給紙制御部８２は、入力された用紙サイズが予め設定された所定の用紙サイズ（ここではＡ３）より小さくなるに従って、段階的に、給紙速度を遅くするとともに給紙タイミングを早くする。
【００３３】
［効果］
本実施形態の孔版印刷機１においては、用紙サイズが「Ａ３」より小さくなるほど、給紙速度が遅くなるので、遅くなった分だけ、レジストローラ４３への用紙２００の衝突音が小さくなる。
【００３４】
すなわち、本実施形態の孔版印刷機１によれば、用紙サイズが「Ａ３」の場合に大きな衝突音が発生するのは仕方ないが、用紙サイズが小さくなるほど衝突音を小さくできる。すなわち、衝突音が小さい場合を実現できる。したがって、印刷作業中に大きな衝突音が発生する場合を低減できる。
【００３５】
＜第３実施形態＞
本実施形態では、印刷速度設定部８３が、印刷速度を「第１速度」、「第２速度」、及び「第３速度」から任意に選択して設定するようになっている。なお、ここでは、「第１速度」は「高速」、「第２速度」は「中速」、「第３速度」は「低速」である。すなわち、印刷速度は、「第１速度」が最も速く、「第２速度」が次に速く、「第３速度」が最も遅くなっている。また、給紙制御部８２は、表３に示されるような制御を実行するようになっている。その他は第１実施形態と同じである。
【００３６】
【表３】
2019150968.tif 000005
【００３７】
表３の制御内容は、次のとおりである。
（高速の場合）
・サイズ入力部８１に入力された用紙サイズが「Ａ３以上」の場合には、給紙駆動部４９を制御して、給紙ローラ４１の給紙速度を「速い（０）」に設定するとともに給紙タイミングを「遅い（０）」に設定する。
・サイズ入力部８１に入力された用紙サイズが「Ａ３未満」の場合には、給紙駆動部４９を制御して、給紙ローラ４１の給紙速度を「遅い（−１）」に設定するとともに給紙タイミングを「早い（１）」に設定する。
【００３８】
（中速の場合）
・サイズ入力部８１に入力された用紙サイズが「Ａ３以上」の場合には、給紙駆動部４９を制御して、給紙ローラ４１の給紙速度を「遅い（−１）」に設定するとともに給紙タイミングを「遅い（０）」に設定する。
・サイズ入力部８１に入力された用紙サイズが「Ａ３未満」の場合には、給紙駆動部４９を制御して、給紙ローラ４１の給紙速度を「遅い（−２）」に設定するとともに給紙タイミングを「早い（１）」に設定する。
【００３９】
（低速の場合）
・サイズ入力部８１に入力された用紙サイズが「Ａ３以上」の場合には、給紙駆動部４９を制御して、給紙ローラ４１の給紙速度を「遅い（−２）」に設定するとともに給紙タイミングを「遅い（０）」に設定する。
・サイズ入力部８１に入力された用紙サイズが「Ａ３未満」の場合には、給紙駆動部４９を制御して、給紙ローラ４１の給紙速度を「遅い（−３）」に設定するとともに給紙タイミングを「早い（１）」に設定する。
【００４０】
なお、「遅い（−１）」、「遅い（−２）」、及び「遅い（−３）」は、この順で、「速い（０）」よりも、給紙速度が１段階ずつ遅いことを意味しており、「早い（１）」、「早い（２）」、及び「早い（３）」は、この順で、「遅い（０）」よりも、給紙タイミングが１段階ずつ早いことを意味している。
【００４１】
また、表３に示されている給紙速度及び給紙タイミングは、指定されている用紙サイズの用紙２００を「高速」、「中速」、及び「低速」で印刷できる値である。
【００４２】
［作動］
第１実施形態と同様に、２枚目以降の用紙２００が給紙される際に、給紙制御部８２が上述した制御を実行する。すなわち、本実施形態では、印刷速度が「高速」、「中速」、及び「低速」のいずれの場合においても、給紙制御部８２は、入力された用紙サイズが予め設定された所定の用紙サイズ（ここではＡ３以上）より小さい場合には、当該所定の用紙サイズの場合に比して、給紙速度を遅くするとともに給紙タイミングを早くする。
【００４３】
［効果］
本実施形態の孔版印刷機１においては、印刷速度が「高速」、「中速」、及び「低速」のいずれの場合においても、用紙サイズが「Ａ３未満」である場合には、給紙速度が遅くなるので、遅くなった分だけ、レジストローラ４３への用紙２００の衝突音が小さくなる。
【００４４】
すなわち、本実施形態の孔版印刷機１によれば、用紙サイズが大きい場合に大きな衝突音が発生するのは仕方ないが、用紙サイズが小さい場合には衝突音を小さくできる。すなわち、衝突音が小さい場合を実現できる。したがって、印刷作業中に大きな衝突音が発生する場合を低減できる。
【００４５】
＜第４実施形態＞
本実施形態では、制御部８が作動制御部８４を有しており、その他は第３実施形態と同じである。
【００４６】
作動制御部８４は、印刷速度が予め設定された速度以上の場合のみに、給紙制御部８２を作動させるようになっている。具体的には、作動制御部８４は、表４に示されるように、印刷速度が「中速」以上の場合に給紙制御部８２を作動させるようになっている。
【００４７】
【表４】
2019150968.tif 000006
【００４８】
すなわち、本実施形態においては、印刷速度が「低速」の場合には用紙サイズが「Ａ３未満」であっても給紙速度は遅くならない。しかしながら、印刷速度が「低速」の場合には、給紙速度自体が元々低速であるので、レジストローラ４３への用紙２００の衝突音は小さい。
【００４９】
よって、本実施形態によっても、第３実施形態と同様の効果を発揮できる。
【００５０】
＜第５実施形態＞
本実施形態では、印刷速度設定部８３が、印刷速度を「第１速度」、「第２速度」、及び「第３速度」から任意に選択して設定するようになっている。なお、ここでは、「第１速度」は「高速」、「第２速度」は「中速」、「第３速度」は「低速」である。すなわち、印刷速度は、「第１速度」が最も速く、「第２速度」が次に速く、「第３速度」が最も遅くなっている。また、給紙制御部８２は、表５に示されるような制御を実行するようになっている。その他は第１実施形態と同じである。
【００５１】
【表５】
2019150968.tif 000007
【００５２】
表５の制御内容は、次のとおりである。
（高速の場合）
・サイズ入力部８１に入力された用紙サイズが「Ａ３」の場合には、給紙駆動部４９を制御して、給紙ローラ４１の給紙速度を「速い（０）」に設定するとともに給紙タイミングを「遅い（０）」に設定する。
・サイズ入力部８１に入力された用紙サイズが「Ｂ４」の場合には、給紙駆動部４９を制御して、給紙ローラ４１の給紙速度を「遅い（−１）」に設定するとともに給紙タイミングを「早い（１）」に設定する。
・サイズ入力部８１に入力された用紙サイズが「Ａ４」の場合には、給紙駆動部４９を制御して、給紙ローラ４１の給紙速度を「遅い（−２）」に設定するとともに給紙タイミングを「早い（２）」に設定する。
・サイズ入力部８１に入力された用紙サイズが「Ｂ５」の場合には、給紙駆動部４９を制御して、給紙ローラ４１の給紙速度を「遅い（−３）」に設定するとともに給紙タイミングを「早い（３）」に設定する。
【００５３】
（中速の場合）
・サイズ入力部８１に入力された用紙サイズが「Ａ３」の場合には、給紙駆動部４９を制御して、給紙ローラ４１の給紙速度を「遅い（−１）」に設定するとともに給紙タイミングを「遅い（０）」に設定する。
・サイズ入力部８１に入力された用紙サイズが「Ｂ４」の場合には、給紙駆動部４９を制御して、給紙ローラ４１の給紙速度を「遅い（−２）」に設定するとともに給紙タイミングを「早い（１）」に設定する。
・サイズ入力部８１に入力された用紙サイズが「Ａ４」の場合には、給紙駆動部４９を制御して、給紙ローラ４１の給紙速度を「遅い（−３）」に設定するとともに給紙タイミングを「早い（２）」に設定する。
・サイズ入力部８１に入力された用紙サイズが「Ｂ５」の場合には、給紙駆動部４９を制御して、給紙ローラ４１の給紙速度を「遅い（−４）」に設定するとともに給紙タイミングを「早い（３）」に設定する。
【００５４】
（低速の場合）
・サイズ入力部８１に入力された用紙サイズが「Ａ３」の場合には、給紙駆動部４９を制御して、給紙ローラ４１の給紙速度を「遅い（−２）」に設定するとともに給紙タイミングを「遅い（０）」に設定する。
・サイズ入力部８１に入力された用紙サイズが「Ｂ４」の場合には、給紙駆動部４９を制御して、給紙ローラ４１の給紙速度を「遅い（−３）」に設定するとともに給紙タイミングを「早い（１）」に設定する。
・サイズ入力部８１に入力された用紙サイズが「Ａ４」の場合には、給紙駆動部４９を制御して、給紙ローラ４１の給紙速度を「遅い（−４）」に設定するとともに給紙タイミングを「早い（２）」に設定する。
・サイズ入力部８１に入力された用紙サイズが「Ｂ５」の場合には、給紙駆動部４９を制御して、給紙ローラ４１の給紙速度を「遅い（−５）」に設定するとともに給紙タイミングを「早い（３）」に設定する。
【００５５】
なお、「遅い（−１）」、「遅い（−２）」、「遅い（−３）」、「遅い（−４）」、及び「遅い（−５）」は、この順で、「速い（０）」よりも、給紙速度が１段階ずつ遅いことを意味しており、「早い（１）」、「早い（２）」、及び「早い（３）」は、この順で、「遅い（０）」よりも、給紙タイミングが１段階ずつ早いことを意味している。
【００５６】
また、表５に示されている給紙速度及び給紙タイミングは、指定されている用紙サイズの用紙２００を「高速」、「中速」、及び「低速」で印刷できる値である。
【００５７】
［作動］
第１実施形態と同様に、２枚目以降の用紙２００が給紙される際に、給紙制御部８２が上述した制御を実行する。すなわち、本実施形態では、印刷速度が「高速」、「中速」、及び「低速」のいずれの場合においても、給紙制御部８２は、入力された用紙サイズが予め設定された所定の用紙サイズ（ここではＡ３）より小さくなるに従って、段階的に、給紙速度を遅くするとともに給紙タイミングを早くする。
【００５８】
［効果］
本実施形態の孔版印刷機１においては、印刷速度が「高速」、「中速」、及び「低速」のいずれの場合においても、用紙サイズが「Ａ３」より小さくなるほど、給紙速度が遅くなるので、遅くなった分だけ、レジストローラ４３への用紙２００の衝突音が小さくなる。
【００５９】
すなわち、本実施形態の孔版印刷機１によれば、用紙サイズが「Ａ３」の場合に大きな衝突音が発生するのは仕方ないが、用紙サイズが小さくなるほど衝突音を小さくできる。すなわち、衝突音が小さい場合を実現できる。したがって、印刷作業中に大きな衝突音が発生する場合を低減できる。
【００６０】
＜第６実施形態＞
本実施形態では、給紙制御部８２が、表６に示されるような制御を実行するようになっており、その他は第５実施形態と同じである。
【００６１】
【表６】
2019150968.tif 000008
【００６２】
表６の制御内容は、次のとおりである。
（高速の場合）
第５実施形態と同じである。
【００６３】
（中速の場合）
・サイズ入力部８１に入力された用紙サイズが「Ａ３」、「Ｂ４」、及び「Ａ４」の場合は、第５実施形態と同じである。
・サイズ入力部８１に入力された用紙サイズが「Ｂ５」の場合には、「Ａ４」の場合と同じである。
【００６４】
（低速の場合）
・サイズ入力部８１に入力された用紙サイズが「Ａ３」及び「Ｂ４」の場合は、第５実施形態と同じである。
・サイズ入力部８１に入力された用紙サイズが「Ａ４」及び「Ｂ５」の場合には、「Ｂ４」の場合と同じである。
【００６５】
なお、「遅い（−１）」、「遅い（−２）」、及び「遅い（−３）」は、この順で、「速い（０）」よりも、給紙速度が１段階ずつ遅いことを意味しており、「早い（１）」、「早い（２）」、及び「早い（３）」は、この順で、「遅い（０）」よりも、給紙タイミングが１段階ずつ早いことを意味している。
【００６６】
また、表６に示されている給紙速度及び給紙タイミングは、指定されている用紙サイズの用紙２００を「高速」、「中速」、及び「低速」で印刷できる値である。
【００６７】
［作動］
第１実施形態と同様に、２枚目以降の用紙２００が給紙される際に、給紙制御部８２が上述した制御を実行する。すなわち、本実施形態では、印刷速度が「高速」、「中速」、及び「低速」のいずれの場合においても、給紙制御部８２は、入力された用紙サイズが予め設定された所定の用紙サイズ（ここではＡ３）より小さくなるに従って、段階的に、給紙速度を遅くするとともに給紙タイミングを早くする。但し、給紙制御部８２は、「中速」の場合には、「Ａ４以下」の用紙サイズの用紙２００対しては同じ制御を実行し、「低速」の場合には、「Ｂ４以下」の用紙サイズの用紙２００対しては同じ制御を実行する。
【００６８】
［効果］
本実施形態の孔版印刷機１においては、印刷速度が「高速」、「中速」、及び「低速」のいずれの場合においても、用紙サイズが「Ａ３」より小さくなるほど、給紙速度が遅くなるので、遅くなった分だけ、レジストローラ４３への用紙２００の衝突音が小さくなる。
【００６９】
すなわち、本実施形態の孔版印刷機１によれば、用紙サイズが「Ａ３」の場合に大きな衝突音が発生するのは仕方ないが、用紙サイズが小さくなるほど衝突音を小さくできる。すなわち、衝突音が小さい場合を実現できる。したがって、印刷作業中に大きな衝突音が発生する場合を低減できる。
【００７０】
＜実施例１＞
表７は、第１実施形態の具体例を示している。
【００７１】
【表７】
2019150968.tif 000009
【００７２】
＜実施例２＞
表８は、第２実施形態の具体例を示している。
【００７３】
【表８】
2019150968.tif 000010
【００７４】
表７及び表８において、給紙タイミングは、給紙ローラ４１の回転を開始するタイミングにおける、印刷ドラム３１の基準角度（０度）に対する回転角度によって、表している。なお、基準角度は、印刷ドラム３１に設けられているマスタークランプ（すなわち製版原紙の前端を印刷ドラム３１に固定するための部材）が略頂上に位置する状態に、設定されている。また、給紙速度は、給紙ローラ４１の回転速度によって表している。
【００７５】
＜別の実施形態＞
（１）本発明は、図３に示されるような両面孔版印刷機１Ａにおいても、同様に適用できる。両面孔版印刷機１Ａにおいては、用紙２００は、給紙部４から印刷部３へ給紙されて表面に印刷が施され、排紙部５によって紙受け部７へ排出された後、再給紙部９へ至り、再給紙部９から再び印刷部３へ給紙されて裏面に印刷が施されるようになっている。すなわち、両面孔版印刷機１Ａは、用紙２００に両面印刷を施すようになっている。再給紙部９では、給紙ローラ９１と捌き部材９２とによって、再給紙トレイ９０上の用紙２００が１枚ずつレジストローラ４３へ搬送される。そして、本発明は、上述した実施形態のように給紙部４に適用できるだけでなく、再給紙部９へも同様に適用できる。これにより、再給紙する際に大きな衝突音が発生する場合を、低減できる。なお、図３では、給紙部４及び再給紙部９に設けられた用紙センサーの図示を、省略している。
【００７６】
（２）本発明は、複数の給紙部を有する孔版印刷機においても、同様に適用できる。例えば、図３の両面孔版印刷機１Ａにおいて再給紙部９が単なる第２給紙部として設けられることによって両面印刷機能を喪失しているような、孔版印刷機においても、本発明は、上述した実施形態のように給紙部４に適用できるだけでなく、第２給紙部へも同様に適用できる。これにより、第２給紙部から給紙する際に大きな衝突音が発生する場合を、低減できる。
【００７７】
（３）上記実施形態では、給紙制御部８２は、給紙速度及び給紙タイミングを設定しているが、給紙部４の第２動作時に用紙２００がレジストローラ４３の位置に来ることが保証されているならば、給紙制御部８２は、給紙速度のみを設定するようにしてもよい。
【００７８】
（４）上記実施形態では、１枚目の用紙２００に対してサイズ入力部８１が作動しているが、サイズ入力部８１は、２枚目以降の全ての用紙２００に対しても作動してもよい。この場合には、前の用紙２００に関して算出された用紙サイズに基づいて次の用紙２００に対して給紙制御部８２が作動する。
【００７９】
（５）サイズ入力部８１への用紙サイズの入力は、次の手段を採用してもよい。
(5-1)操作者が操作パネルを介して手動で入力する。これによれば、給紙制御部８２は、１枚目の用紙２００に対しても制御を実行できる。
(5-2)給紙トレイ４０に設けられたサイズ検知センサーによって用紙サイズが検知され、それが入力される。これによれば、給紙制御部８２は、１枚目の用紙２００に対しても制御を実行できる。
(5-3)レジストローラ４３が用紙２００を送り始める時点から、用紙センサー４４が用紙２００の後端の通過によってオフする時点までの間における、印刷ドラム３１の回転量に基づいて、用紙サイズを算出し、それが入力される。
【００８０】
（６）印刷速度が「高速」、「中速」、及び「低速」の場合において、作動制御部８４は、「高速」の場合のみに給紙制御部８２を作動させるようにしてもよい。
【００８１】
（７）印刷速度は、「高速」、「中速」、及び「低速」の３段階に限るものではない。
【産業上の利用可能性】
【００８２】
本発明の孔版印刷機は、印刷作業中に大きな衝突音が発生する場合を低減できるので、産業上の利用価値が大である。
【符号の説明】
【００８３】
１  孔版印刷機  ４１  給紙ローラ  ４９  給紙駆動部  ８１  サイズ入力部
８２  給紙制御部  ８４  作動制御部
【図１】
2019150968.tif 000011
【図２】
2019150968.tif 000012
【図３】
2019150968.tif 000013